(57)【要約】給気ファン（２）の給気量の増加を要求する指令が発生した場合に、外気温度取得部（２４）によって取得された外気の温度情報と、室内温度取得部（３２）によって取得された室内の温度情報とに基づいて、空調装置（３）の運転条件が決定される。そして、その決定された空調装置（３）の運転条件が空調装置（３）へ指令される。
2020162306.tif 000002
【特許請求の範囲】
【請求項１】
外気を室内空間に供給する給気ファンと、
前記室内空間の空調を行う空調装置と、
外気の温度情報を取得する外気温度取得部と、
前記室内空間の温度情報を取得する室内温度取得部と、
前記給気ファン及び前記空調装置の運転を制御する制御ユニットとを備え、
前記制御ユニットは、
前記給気ファンの給気量の増加を要求する指令が発生した場合に、前記外気温度取得部によって取得された外気の温度情報と、前記室内温度取得部によって取得された室内の温度情報とに基づいて、前記空調装置の運転条件を決定する決定部と、
前記決定部により決定された前記空調装置の運転条件を前記空調装置へ指令する空調指令部とを備えたことを特徴とする空調システム。
【請求項２】
前記決定部は、前記外気温度取得部によって取得された外気の温度情報に基づいて前記給気ファンにより前記室内空間に供給される外気の熱量を判断し、供給される外気の熱量に基づいて前記空調装置の運転条件を決定することを特徴とする請求項１記載の空調システム。
【請求項３】
前記制御ユニットは、
前記空調指令部が前記空調装置への運転条件の指令を行ったときから所定の期間が経過した後に、前記給気ファンに前記給気量の増加を許可する指令を行う給気指令部を備えたことを特徴とする請求項１又は２記載の空調システム。
【請求項４】
前記制御ユニットは、
前記空調指令部が前記空調装置への運転条件の指令を行った後に、前記給気ファンの前記給気量の増加を許可すると共に、前記給気ファンの前記給気量の増加を段階的に行うように指令する給気指令部を備えたことを特徴とする請求項１又は２記載の空調システム。
【請求項５】
前記決定部は、前記空調装置の運転条件として、前記空調装置に対して設定される前記室内空間の目標温度を決定することを特徴とする請求項１から４のいずれかに記載の空調システム。
【請求項６】
前記決定部は、前記空調装置の運転条件として、前記空調装置に対して設定される冷房能力又は暖房能力を決定することを特徴とする請求項１から４のいずれかに記載の空調システム。
【請求項７】
前記室内空間の二酸化炭素の濃度を検出する二酸化炭素濃度検出部又は前記室内空間の微粒子の濃度を検出する微粒子検出部の少なくとも一方によって、前記給気ファンの給気量増加の指令が送信されることを特徴とする請求項１から６のいずれかに記載の空調システム。
【請求項８】
外気を室内空間に供給する給気ファンと、前記室内空間の空調を行う空調装置との運転を制御する制御ユニットにおいて、
前記給気ファンの給気量の増加を要求する指令が発生した場合に、外気の温度情報と室内の温度情報とに基づいて前記空調装置の運転条件を決定する決定部と、
前記決定部により決定された前記空調装置の運転条件を前記空調装置へ指令する空調指令部とを備えたことを特徴とする制御ユニット。
【請求項９】
室外空間と室内空間の間に設けられ、前記室外空間から前記室内空間への空気の流量を調整する給気ファンと、
前記室内空間に設けられ、運転条件に基づいて運転する空調装置と、
前記室外空間の温度を検出して、検出した温度を示す室外温度情報を出力する室外温度センサと、
前記室内空間の温度を検出して、検出した温度を示す室内温度情報を出力する室内温度センサと、
前記給気ファン、前記空調装置、前記外気温度センサ及び前記室内温度センサに接続された制御ユニットと、を備え、
前記制御ユニットは、
前記外気温度センサから前記外気温度情報を受信し、
前記室内温度センサから前記室内温度情報を受信し、
前記給気ファンの給気量の増加を要求する指令が発生した場合に、前記外気温度情報と前記室内温度情報とに基づいて、前記運転条件を決定し、
前記決定された運転条件に基づいて運転することを要求する指令を前記空調装置に送信する、
空調システム。
【請求項１０】
前記給気ファンは、前記給気ファンの給気量の増加を要求する指令が発生したときから、前記給気ファンの前記給気量の増加を許可する指令を受けたときまで、前記給気量を変えずに維持する請求項３記載の空調システム。
【発明の詳細な説明】
【技術分野】
【０００１】
本発明は、空調システム及び制御ユニットに関する。
【背景技術】
【０００２】
従来より、１つの室内空間に構築された空調システムが知られている。空調システムは、外気をその室内空間に供給する給気ファンと、その室内空間の空調を行う空調装置と、給気ファン及び空調装置を制御する制御装置とを備える（例えば、特許文献１）。
【先行技術文献】
【特許文献】
【０００３】
【特許文献１】国際公開第２０１５／１０７５９８号
【発明の概要】
【０００４】
特許文献１に記載の空調システムにおいて、給気ファンの給気量を増加させると、例えば夏季では高温の外気がより多く、空調装置によって冷やされた室内空間に対して給気されることになる。よって、空調装置によって再び冷やされるまで室内空気の温度が一時的に上昇する。逆に、冬季においては、給気ファンの給気量が増加すると、室内空気の温度が一時的に下降する。このように、従来の空調システムでは、給気ファンの給気量を増加させると、室内空間にいる人を不快にさせてしまうという問題点がある。
【０００５】
本発明は、上記課題を解決するためになされたものであり、給気ファンの給気量が増加する場合に、室内空間の温度変化を抑制できる空調システム及び制御ユニットを提供することを目的とする。
【０００６】
この目的を達成するために、本発明の空調システムは、外気を室内空間に供給する給気ファンと、室内空間の空調を行う空調装置と、外気の温度情報を取得する外気温度取得部と、室内空間の温度情報を取得する室内温度取得部と、給気ファン及び空調装置の運転を制御する制御ユニットとを備える。制御ユニットは、給気ファンの給気量の増加を要求する指令が発生した場合に、外気温度取得部によって取得された外気の温度情報と、室内温度取得部によって取得された室内の温度情報とに基づいて、空調装置の運転条件を決定する決定部と、決定部により決定された空調装置の運転条件を空調装置へ指令する空調指令部とを備えたことを特徴とするものである。
【０００７】
また、本発明の制御ユニットは、外気を室内空間に供給する給気ファンと、室内空間の空調を行う空調装置との運転を制御するものであり、給気ファンの給気量の増加を要求する指令が発生した場合に、外気の温度情報と室内の温度情報とに基づいて空調装置の運転条件を決定する決定部と、決定部により決定された空調装置の運転条件を空調装置へ指令する空調指令部とを備えたことを特徴とするものである。
【０００８】
本発明の空調システム及び制御ユニットによれば、給気ファンの給気量の増加を要求する指令が発生した場合に、外気温度取得部によって取得された外気の温度情報と、室内温度取得部によって取得された室内の温度情報とに基づいて、空調装置の運転条件が決定部により決定される。そして、決定部により決定された空調装置の運転条件が空調装置へ指令部により指令される。これにより、給気ファンの給気量が増加する場合に、室内空間の温度変化を抑制できるという効果がある。
【図面の簡単な説明】
【０００９】
【図１】図１は、本発明の一実施の形態に係る空調システム及び制御ユニットの概略構成を示す概略図である。
【図２】図２は、同制御ユニットにて実行される給気空調連携処理を示すフローチャートである。
【発明を実施するための形態】
【００１０】
以下、本発明を実施するための形態について添付図面を参照して説明する。なお、以下に説明する実施の形態は、いずれも本発明の好ましい一具体例を示すものである。従って、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１１】
まず、図１を参照して、本発明の一実施の形態に係る空調システム５と制御ユニット（制御装置）１の概略構成について説明する。図１は、空調システム５及び制御ユニット１の概略構成を示す概略図である。
【００１２】
空調システム５は、１つの居室における室内空間５０に対して構築される。空調システム５は、給気ファン２と、空調装置３と、室内センサユニット４と、制御ユニット１とを備える。
【００１３】
給気ファン２は、外気を室内空間５０に供給する。給気ファン２は、例えば、室外空間と室内空間５０との間に設けられる。給気ファン２は、吸込口２１と、吹出口２２とを有する筐体を備える。空調システム５は、給気ファン２の筐体内部に、給気ファン側通信制御部２３と、外気温度取得部２４と、清浄フィルタ２５とを備える。給気ファン２は、吸込口２１から外気を吸いこみ、清浄フィルタ２５にて塵埃を除去したうえで、吸込んだ外気を吹出口２２から室内空間５０へ供給する。
【００１４】
給気ファン側通信制御部２３は、室内センサユニット４及び制御ユニット１との間で行われる無線通信又は有線通信を制御するものである。
【００１５】
外気温度取得部２４は、外気の温度（あるいは、室外空間の温度）を検知する温度センサにより構成され、その温度センサにて吸込口２１から吸込んだ外気の温度を検知することで、その外気の温度情報を取得する。外気温度取得部２４は、空調システム５を構成する一要素である。
【００１６】
なお、外気温度取得部２４は、給気ファン２の外部に設けられてもよく、外気の温度を取得できる場所であれば任意の場所に設けることができる。例えば、外気温度取得部２４は、家屋の外壁に取り付けられてもよい。
【００１７】
空調装置３は、指定された運転条件に基づいて室内空間５０の空調を行うものであり、目標温度に室内空間５０の温度が到達するように冷房又は暖房を行う。空調装置３は、予め定められた範囲の冷房能力又は暖房能力で運転可能に構成されており、目標温度と現在の室内空間５０の温度との差に基づいて、空調運転における冷房能力又は暖房能力が設定される。
【００１８】
空調装置３は、空調装置側通信制御部３１と、室内温度取得部３２とを備えている。空調装置側通信制御部３１は、制御ユニット１との間で行われる無線通信又は有線通信を制御するものである。
【００１９】
室内温度取得部３２は、室内空間５０の温度を検知する温度センサにより構成され、その温度センサにて室内空間５０の温度を検知することで、室内空間５０の温度情報を取得する。室内温度取得部３２は、空調システム５を構成する一要素である。
【００２０】
なお、室内温度取得部３２は、空調装置３の外部に設けられてもよく、室内空間５０の温度を取得できる場所であれば任意の場所に設けることができる。例えば、室内温度取得部３２は、室内空間５０が構築される居室の壁に取り付けられてもよいし、室内センサユニット４内に設けられてもよい。
【００２１】
室内センサユニット４は、室内空間５０の各種状態を検出するための複数のセンサを備えたユニットである。室内センサユニット４は、例えば、二酸化炭素濃度検出部４１と微粒子検出部４２とを有している。
【００２２】
二酸化炭素濃度検出部４１は、室内空間５０の二酸化炭素の濃度を検出する。微粒子検出部４２は、室内空間５０の微粒子の濃度を検出する。
【００２３】
室内センサユニット４は、さらに、制御部（図示せず）を備える。制御部は、二酸化炭素濃度検出部４１によって検出された室内空間５０の二酸化炭素の濃度、又は、微粒子検出部４２によって検出された室内空間５０の微粒子の濃度を監視する。制御部は、二酸化炭素の濃度が第１しきい値を超えたか否かを判断し、又は、微粒子の濃度の濃度が第２しきい値を超えたか否かを判断する。制御部は、これらの判断に基づいて給気ファン２の給気量の増加を要求する給気量増加指令を生成する。室内センサユニット４は、給気ファン２に対して給気量増加指令を送信する。給気量増加指令は、ユーザの操作に基づいて生成されてもよい。例えば、空調システム５は、ユーザから給気量の増加の指示を受け付けるリモートコントローラを備えてもよい。リモートコントローラはユーザからの指示に基づいて給気量増加指令を生成し、給気ファン２に給気量増加指令を送信してもよい。
【００２４】
制御ユニット１は、給気ファン２及び空調装置３の運転を制御する。制御ユニット１は、給気ファン２及び空調装置３との間で行われる無線通信又は有線通信を制御する制御ユニット側通信制御部１０を備える。すなわち、制御ユニット１は、給気ファン２及び空調装置３と通信可能に接続されている。
【００２５】
次に、図１及び図２を参照して、空調システム５及び制御ユニット１の動作について説明する。図２は、制御ユニット１にて実行される給気空調連携処理を示すフローチャートである。なお、図１において括弧で示された数字は、その数字の順番に行われる情報や処理の流れを示している。
【００２６】
上記した通り、室内センサユニット４は、室内空間５０の二酸化炭素の濃度が第１しきい値を超えたと判断した場合、又は、室内空間５０の微粒子の濃度が第２しきい値を超えたと判断した場合に、給気量増加指令を生成する。室内センサユニット４は、給気ファン２に対して給気量増加指令を送信する（図１の（１））。給気ファン２は、給気ファン側通信制御部２３を介して室内センサユニット４より給気量増加指令を受け取る。給気ファン２は、給気量増加指令を受け取ると、増加後の給気量である運転予定風量を決定する（図１の（２））。
【００２７】
なお、給気ファン２は、給気量増加指令を自ら生成してもよい。例えば、室内センサユニット４は、室内空間５０の二酸化炭素の濃度の上昇があった場合にその二酸化炭素の濃度を示す情報を給気ファン２へ送信してもよい。又は、室内センサユニット４は、室内空間５０の微粒子の濃度の上昇があった場合にその微粒子の濃度を示す情報を給気ファン２へ送信してもよい。または、室内センサユニット４は、所定時間毎に、室内空間５０の二酸化炭素の濃度と室内空間５０の微粒子の濃度とを示す情報を、給気ファン２へ送信してもよい。そして、給気ファン２は、室内空間５０の二酸化炭素の濃度が第１しきい値を超えたか否かを判断し、または、室内空間５０の微粒子の濃度が第２しきい値を超えたか否かを判断してもよい。給気ファン２は、これらの判断に基づいて、給気量増加指令を生成してもよい。
【００２８】
また、制御ユニット１が、給気量増加指令を生成してもよい。例えば、室内センサユニット４は、二酸化炭素濃度検出部４１によって検出された室内空間５０の二酸化炭素の濃度の上昇、又は、微粒子検出部４２によって検出された室内空間５０の微粒子の濃度の上昇を判断した場合に、二酸化炭素の濃度又は微粒子の濃度が上昇した旨の情報を制御ユニット１へ送信してもよい。そして、制御ユニット１は、室内センサユニット４より二酸化炭素の濃度又は微粒子の濃度が上昇した旨の情報を受信すると、給気量増加指令を生成し、給気ファン２に対して給気量増加指令を出力してもよい。
【００２９】
また、室内センサユニット４は、室内空間５０の二酸化炭素の濃度の上昇があった場合にその二酸化炭素の濃度を示す情報を制御ユニット１へ送信してもよい。又は、室内センサユニット４は、室内空間５０の微粒子の濃度の上昇があった場合にその微粒子の濃度を示す情報を制御ユニット１へ送信してもよい。または、室内センサユニット４は、所定時間毎に、室内空間５０の二酸化炭素の濃度と室内空間５０の微粒子の濃度とを示す情報を、制御ユニット１へ送信してもよい。そして、制御ユニット１が、室内空間５０の二酸化炭素の濃度が第１しきい値を超えたか否かを判断し、または、室内空間５０の微粒子の濃度が第２しきい値を超えたか否かを判断してもよい。制御ユニット１は、これらの判断に基づいて給気量増加指令を生成し、給気ファン２に対して給気量増加指令を出力してもよい。
【００３０】
給気ファン２は、給気量増加指令を受け取って運転予定風量を決定する。給気ファン２は、給気量増加指令を受け取ったことを示す指令受信情報とともに、決定した運転予定風量を示す風量情報と、外気温度取得部２４により取得した外気の温度情報とを、給気ファン側通信制御部２３を介して制御ユニット１へ送信する（図１の（３））。
【００３１】
制御ユニット１は、制御ユニット側通信制御部１０を介して、指令受信情報を受信する。制御ユニット１は、指令受信情報により、給気量増加指令の発生を認識することができる。制御ユニット１は、指令受信情報を受信すると、図２に示す給気空調連携処理を実行する。
【００３２】
この給気空調連携処理が実行されると、制御ユニット１は、まず、指令受信情報とともに給気ファン２より送信された、風量情報と、外気の温度情報とを取得する（Ｓ１）。次いで、制御ユニット１は、制御ユニット側通信制御部１０を介して空調装置３に対し、現在の運転状況を確認する指令を送信する（Ｓ２、図１の（４））。
【００３３】
空調装置３は、制御ユニット１より空調装置側通信制御部３１を介して現在の運転状況を確認する指令を受信すると、空調装置３の現在の運転状況を制御ユニット１に送信する（図１の（５））。ここで現在の運転状況としては、例えば、空調装置３に設定された室内空間５０の目標温度、室内温度取得部３２により取得された室内空間５０の現在の温度情報などである。また、空調装置３の現在の運転状況として、空調装置３に設定された現在の冷房能力又は暖房能力、あるいは、空調装置３に設定された現在の送風量などが送信されてもよい。
【００３４】
制御ユニット１は、給気空調連携処理のＳ２の処理の後、空調装置３より制御ユニット側通信制御部１０を介して現在の運転状況を取得する（Ｓ３）。空調装置３の現在の運転状況は、室内空間５０の現在の温度情報を含む。そして、制御ユニット１は、少なくともＳ１の処理により取得した外気の温度情報と、Ｓ３の処理により取得した室内空間５０の温度情報とに基づいて、空調装置３の運転条件を決定する（Ｓ４、図１の（６））。
【００３５】
例えば、Ｓ４の処理では、予め制御ユニット１に設定された室内空間５０の容量、給気ファン２より取得した給気ファン２の運転予定風量、及び、外気の温度から、室内空間５０に供給される外気の熱量を予測する。そして、制御ユニット１は、空調装置３より取得した室内空間５０の現在の温度と、空調装置３に設定された室内空間５０の目標温度とに基づいて、先に判断された室内空間５０に供給される外気の熱量を相殺して室内空間５０が目標温度となるように、空調装置３の運転条件を決定する。このＳ４の処理を実行する制御ユニット１が、本発明の決定部に該当する。
【００３６】
Ｓ４の処理により決定される空調装置３の運転条件としては、例えば、空調装置３に設定される目標温度である。外気が供給されることにより、室内空間５０の温度が上昇する場合には、その温度の上昇度合いに基づいて、空調装置３の目標温度を下げることで、外気の供給に伴う室内空間５０の温度上昇を抑制できる。一方、外気が供給されることにより、室内空間５０の温度が下降する場合には、その温度の下降度合いに基づいて、空調装置３の目標温度を上げることで、外気の供給に伴う室内空間５０の温度下降を抑制できる。
【００３７】
また、Ｓ４の処理により決定される空調装置３の運転条件として、空調装置３に設定される冷房能力又は暖房能力であってもよい。外気が供給されることにより、室内空間５０の温度が上昇する場合には、その温度の上昇度合いに基づいて、空調装置３の冷房能力を上げることで、外気の供給に伴う室内空間５０の温度上昇を抑制できる。一方、外気が供給されることにより、室内空間５０の温度が下降する場合には、その温度の下降度合いに基づいて、空調装置３の暖房能力を上げることで、外気の供給に伴う室内空間５０の温度下降を抑制できる。さらに、Ｓ４の処理により決定される空調装置３の運転条件として、空調装置３に設定される送風量であってもよい。
【００３８】
このように、空調システム５は、給気ファン２の給気量の増加に伴って、多くの外気が室内空間５０へ供給されたとしても、室内空間５０の温度変化を抑制できる。
【００３９】
Ｓ４の処理により、空調装置３の運転条件が決定されると、制御ユニット１は、その決定された運転条件を、制御ユニット側通信制御部１０を介して空調装置３に指令する（Ｓ５、図１の（７））。空調装置３は、その指令された運転条件を、空調装置側通信制御部３１を介して受信すると、その指示された運転条件に従って運転を開始する。なお、Ｓ５の処理を実行する制御ユニット１が、本発明の空調指令部に該当する。
【００４０】
ここで、空調装置３は、指令された運転条件に従って運転を開始しても、その運転条件に対して所望される動作が行われるまで（例えば、所望の温度の空気が吹き出されるまで）に時間がかかる。そこで、制御ユニット１は、Ｓ５の処理による空調装置３への運転条件の指令を行ってから、所定の期間が経過した後に、Ｓ６の処理を実行する。即ち、制御ユニット１は、制御ユニット側通信制御部１０を介して給気ファン２に給気量の増加を許可する（Ｓ６、図１の（８））。給気ファン２は、給気ファン側通信制御部２３を介して、制御ユニット１からの給気量の増加の許可を受信することで、給気量の増加を行う。給気ファン２は、給気ファン２の給気量の増加を要求する指令が発生したときから、給気ファン２の給気量の増加を許可する指令を受けたときまで、給気量を変えずに維持する。
【００４１】
これにより、空調装置３において所望される動作が開始されるのを待って、あるいは、空調装置３において所望の動作の開始が見込まれるのを待って、給気ファン２による給気量の増加がなされる。よって、給気ファン２による外気の供給が増加されたとしても、空調装置３によって室内空間５０の温度変化を確実に抑制できる。なお、Ｓ６の処理を実行する制御ユニット１が、本発明の給気指令部に該当する。
【００４２】
Ｓ５の処理で空調装置３への運転条件の指令を行ってから、Ｓ６の処理を実行するまでにおける所定の期間は、給気ファン２によって供給される外気の熱量と空調装置３の目標温度とに基づいて算出するものとしてもよい。例えば、供給される外気の熱量によって、室内空間５０の目標温度を維持するために必要な空調装置３のエネルギーが大きいと判断する場合には、所定の期間を長くしてもよい。また、供給される外気の熱量によって、室内空間５０の目標温度を維持するために必要な空調装置３のエネルギーが小さいと判断する場合には、所定の期間を短くしてもよい。
【００４３】
なお、制御ユニット１は、給気量の増加の許可をした場合に、即、運転予定風量にて給気ファン２を動作させてもよいし、給気量を段階的に増加させ、時間をかけて運転予定風量となるように給気ファン２を制御してもよい。給気量の段階的な増加は、空調装置３の運転が安定するまで待つことなく、室内空間５０の空気を清浄しつつ、室内空間５０の温度変化を抑制できる。
【００４４】
制御ユニット１は、Ｓ６の処理の後、Ｓ７の処理へ移行し、空調装置３、給気ファン２の運転状況に応じて、その運転を制御するフィードバック制御を実行する。
【００４５】
例えば、給気ファン２は、室内センサユニット４の二酸化炭素濃度検出部４１により検出された室内空間５０の二酸化炭素の濃度、または、微粒子検出部４２により検出された室内空間５０の微粒子の濃度を監視する。給気ファン２は、給気ファン２の給気量を増加させたことにより、二酸化炭素の濃度または微粒子の濃度がその給気量の増加の開始時点よりも低減していると判断した場合、給気ファン２は給気量を低減させることになる。この場合、給気ファン２は、給気量を低減することを示す情報を制御ユニット１に対して送信する。制御ユニット１は、給気量の低減によって減少する外気からの熱量を算出して、算出された熱量に基づいて空調装置３を制御する。
【００４６】
反対に、給気ファン２は、給気量の増加の開始時点よりも、室内空間５０の二酸化炭素の濃度又は微粒子の濃度がさらに悪化したと室内センサユニット４の検出結果により判断した場合は、給気ファン２は、給気量をさらに増加させることになる。この場合、給気ファン２は、給気量をさらに増加させることを示す情報を制御ユニット１に対して送信する。給気ファン２から当該情報を受信した制御ユニット１は、それにより供給される外気の熱量の変化に合わせて空調装置３を制御する。
【００４７】
以上説明した通り、本実施の形態に係る空調システム５及び制御ユニット１によれば、給気ファン２の給気量の増加を要求する指令が発生した場合に、外気温度取得部２４によって取得された外気の温度情報と、室内温度取得部３２によって取得された室内の温度情報とに基づいて、空調装置３の運転条件が決定される。そして、その決定された空調装置３の運転条件が空調装置３へ指令される。これにより、給気ファン２の給気量が増加する場合に、室内空間５０の温度変化を抑制できる。
【００４８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【００４９】
また、上記実施の形態に係る空調システム５は、１つの居室における室内空間５０に対して構築されたものである。空調システム５は、複数個の居室と各居室に給気ダクトで連結された少なくともひとつの空調室とを備えた高断熱・高気密家屋に構築されてもよい。空調システム５は、空調室内の空調を制御する。各居室に配置されたコントローラにより空調室内の空気が個別的に分配給される。
【００５０】
また、制御ユニット１は、家屋外であって例えば空調システム５の制御を管理する管理会社が運用するクラウドサーバに、空調装置３等と通信可能に設けられてもよい。このような場合には、制御ユニット１は主にクラウドサーバのＣＰＵ（Ｃｅｎｔｒａｌ  Ｐｒｏｃｅｓｓｉｎｇ  Ｕｎｉｔ）と、このＣＰＵ上で実行されるソフトウェアとの組み合わせで実現される。
【産業上の利用可能性】
【００５１】
本発明に係る空調システムは、給気ファンにて室内空間に外気を導入しつつ、空調装置にて当該室内空間の空調を行う空調システムに適用可能である。
【符号の説明】
【００５２】
１          制御ユニット
２          給気ファン
３          空調装置
４          室内センサユニット
５          空調システム
１０        制御ユニット側通信制御部
２１        吸込口
２２        吹出口
２３        給気ファン側通信制御部
２４        外気温度取得部
２５        清浄フィルタ
３１        空調装置側通信制御部
３２        室内温度取得部
４１        二酸化炭素濃度検出部
４２        微粒子検出部
５０        室内空間
【図１】
2020162306.tif 000003
【図２】
2020162306.tif 000004
【国際調査報告】
2020162306.tif 000005
2020162306.tif 000006
2020162306.tif 000007
2020162306.tif 000008
2020162306.tif 000009